【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
ダイバーシチ動作が可能な第１の無線部と、
前記第１の無線部がダイバーシチ動作を行うか否かに関わらず、前記第１の無線部に接続される第１のアンテナと、
ダイバーシチ動作が可能な第２の無線部と、
前記第２の無線部がダイバーシチ動作を行うか否かに関わらず、前記第２の無線部に接続される第２のアンテナと、
ダイバーシチ動作時に、前記第１の無線部又は前記第２の無線部に接続可能な第３のアンテナと、
前記第１の無線部がダイバーシチ動作を実行する場合には前記第３のアンテナを前記第１の無線部に接続し、前記第２の無線部がダイバーシチ動作を実行する場合には前記第３のアンテナを前記第２の無線部に接続する切替部と、
を備える無線通信装置。
【請求項２】
ダイバーシチ動作が可能なｎ（ｎは任意の自然数）個の無線部と、
前記ｎ個の無線部それぞれがダイバーシチ動作を行うか否かに関わらず、前記ｎ個の無線部にそれぞれ接続されるｎ本のメインアンテナと、
ダイバーシチ動作時に、前記ｎ個の無線部に接続可能なサブアンテナと、
前記サブアンテナを前記ｎ個の無線部のうちダイバーシチ動作を実行するもののいずれか一つと接続させる切替部と、
を備える無線通信装置。
【請求項３】
前記切替部は、前記第１の無線部及び前記第２の無線部が同時にダイバーシチ動作を実行しようとしている場合、予め設定した優先順位に基づいて前記第３のアンテナを切り替え動作する請求項１又は請求項２に記載の無線通信装置。
【請求項４】
前記優先順位を設定する設定部を備える請求項３記載の無線通信装置。
【請求項５】
前記第１の無線部及び前記第２の無線部のダイバーシチ動作信号を検出し、検出した前記ダイバーシチ動作信号に基づいて前記切替部の切り替えを制御する制御部を備える請求項１記載の無線通信装置。
【請求項６】
前記第１の無線部及び前記第２の無線部の受信レベルを検出し、検出した前記受信レベルに基づいて前記切替部の切り替えを制御する制御部を備える請求項１記載の無線通信装置。
【請求項７】
少なくとも前記第１の無線部の受信データ容量を検出し、検出した前記受信データ容量に基づいて前記切替部の切り替えを制御する制御部を備える請求項１記載の無線通信装置。
【請求項８】
ダイバーシチ動作が可能な第１の無線部と、
前記第１の無線部がダイバーシチ動作を行うか否かに関わらず、前記第１の無線部に接続される第１のアンテナと、
ダイバーシチ動作が可能な第２の無線部と、
前記第２の無線部がダイバーシチ動作を行うか否かに関わらず、前記第２の無線部に接続される第２のアンテナと、
ダイバーシチ動作時に、前記第１の無線部又は前記第２の無線部に接続可能な第３のアンテナとを備える無線通信装置におけるアンテナの接続方法であって、
前記第１の無線部がダイバーシチ動作を実行する場合には前記第３のアンテナを前記第１の無線部に接続し、前記第２の無線部がダイバーシチ動作を実行する場合には前記第３のアンテナを前記第２の無線部に接続する切替ステップ
を有するアンテナの接続方法。
【手続補正２】
【補正対象書類名】明細書
【補正対象項目名】発明の名称
【補正方法】変更
【補正の内容】
【発明の名称】無線通信装置及びアンテナの接続方法
【手続補正３】
【補正対象書類名】明細書
【補正対象項目名】０００１
【補正方法】変更
【補正の内容】
【０００１】
本発明は、携帯電話機等の無線通信装置及びアンテナの接続方法に関し、特に、複数のダイバーシチ動作が可能な無線部を有する無線通信装置及びアンテナの接続方法に関する。
【手続補正４】
【補正対象書類名】明細書
【補正対象項目名】００１４
【補正方法】変更
【補正の内容】
【００１４】
本発明はかかる点に鑑みてなされたものであり、ダイバーシチ可能な複数の無線部を有する無線通信装置において、アンテナ数削減による小型・薄型・軽量化及びコスト低減を図ることのできる無線通信装置及びアンテナの接続方法を提供することを目的とする。
【手続補正５】
【補正対象書類名】明細書
【補正対象項目名】００１５
【補正方法】変更
【補正の内容】
【００１５】
本発明の無線通信装置は、ダイバーシチ動作が可能な第１の無線部と、前記第１の無線部がダイバーシチ動作を行うか否かに関わらず、前記第１の無線部に接続される第１のアンテナと、ダイバーシチ動作が可能な第２の無線部と、前記第２の無線部がダイバーシチ動作を行うか否かに関わらず、前記第２の無線部に接続される第２のアンテナと、ダイバーシチ動作時に、前記第１の無線部又は前記第２の無線部に接続可能な第３のアンテナと、前記第１の無線部がダイバーシチ動作を実行する場合には前記第３のアンテナを前記第１の無線部に接続し、前記第２の無線部がダイバーシチ動作を実行する場合には前記第３のアンテナを前記第２の無線部に接続する切替部と、を備える構成を採る。
【手続補正６】
【補正対象書類名】明細書
【補正対象項目名】００１６
【補正方法】変更
【補正の内容】
【００１６】
本発明の無線通信装置は、ダイバーシチ動作が可能なｎ（ｎは任意の自然数）個の無線部と、前記ｎ個の無線部それぞれがダイバーシチ動作を行うか否かに関わらず、前記ｎ個の無線部にそれぞれ接続されるｎ本のメインアンテナと、ダイバーシチ動作時に、前記ｎ個の無線部に接続可能なサブアンテナと、前記サブアンテナを前記ｎ個の無線部のうちダイバーシチ動作を実行するもののいずれか一つと接続させる切替部と、を備える構成を採る。また、本発明のアンテナの接続方法は、ダイバーシチ動作が可能な第１の無線部と、前記第１の無線部がダイバーシチ動作を行うか否かに関わらず、前記第１の無線部に接続される第１のアンテナと、ダイバーシチ動作が可能な第２の無線部と、前記第２の無線部がダイバーシチ動作を行うか否かに関わらず、前記第２の無線部に接続される第２のアンテナと、ダイバーシチ動作時に、前記第１の無線部又は前記第２の無線部に接続可能な第３のアンテナとを備える無線通信装置におけるアンテナの接続方法であって、前記第１の無線部がダイバーシチ動作を実行する場合には前記第３のアンテナを前記第１の無線部に接続し、前記第２の無線部がダイバーシチ動作を実行する場合には前記第３のアンテナを前記第２の無線部に接続する切替ステップを有する。
【手続補正７】
【補正対象書類名】明細書
【補正対象項目名】００１７
【補正方法】変更
【補正の内容】
【００１７】
本発明によれば、ダイバーシチ用のアンテナを１つで共用することにより、ダイバーシチ可能な複数の無線部を有する無線通信装置において、アンテナ数削減による小型・薄型・軽量化及びコスト低減を図ることができる。
【手続補正８】
【補正対象書類名】明細書
【補正対象項目名】００１９
【補正方法】変更
【補正の内容】
【００１９】
（実施の形態１）
図１は、本発明の実施の形態１に係るダイバーシチ可能な複数の無線部を有する携帯無線機の構成を示す図である。本実施の形態は、無線通信装置を携帯型の携帯無線機に適用した例である。
【手続補正９】
【補正対象書類名】明細書
【補正対象項目名】０１１６
【補正方法】変更
【補正の内容】
【０１１６】
本発明に係る無線通信装置及びアンテナの接続方法は、ダイバーシチ動作が可能な複数の無線部を有する小型化に適した携帯無線機を提供できる。また、ダイバーシチ用のアンテナを複数必要とせず、シンプルな回路構成で、筐体の小型化、製造コストの削減を図ることが可能となる。さらに、携帯無線機の無線通信性能の高性能化に有用である。